(57)【特許請求の範囲】
【請求項１】
識別対象物が搬送される搬送路と、
識別対象物の上側から透過光を照射する第１発光部と、前記第１発光部との間で識別対象物を挟むように前記第１発光部と対向する第１受光部と、第１受光部に隣接して配設されて反射光を照射する反射発光部とを有し、識別対象物の透過光および反射光を前記第１受光部で検知することで識別対象物に印刷されたバーコードの情報も読取ることができる第１センサと、
前記第１発光部とは異なる照射方向で光を照射する第２発光部と、前記第２発光部と隣接して配設され、前記第２発光部からの光を受光する第２受光部とを有して、前記搬送路の上方側に設置され、第２発光部によって照射されて識別対象物の表面で反射される光を第２受光部で受光することにより、前記第１センサで読取れなかった印刷面が識別対象物の上面側にあるバーコードの情報を読取る第２センサと、
を備えたことを特徴とする紙葉類処理装置。
【請求項２】
前記搬送路は、第１搬送路と、前記第１搬送路に対して所定角度傾斜する第２搬送路とを有し、前記第１搬送路に第１センサを、前記第２搬送路に第２センサを設置したことを特徴とする請求項１に記載の紙葉類処理装置。
【請求項３】
前記識別対象物を搬送移動する搬送機構と、
前記搬送機構を制御する制御手段と、を備えており、
前記第２センサは、前記搬送路において、識別対象物の存在を検知する機能を備え、
前記制御手段は、前記第２センサの検知結果と、前記搬送機構により識別対象物が移動され、第２センサを通過する時間とに基づいて、前記搬送機構の動作を無効にすることを特徴とする請求項１又は２に記載の紙葉類処理装置。
【請求項４】
前記識別対象物を搬送移動する搬送機構と、
前記搬送機構を制御する制御手段と、を備えており、
前記制御手段は、前記第２センサによって、前記第１センサで読取った識別対象物を一旦停止させるエスクロ位置に停止した識別対象物の移動が検知された場合、前記搬送機構の動作を無効にすることを特徴とする請求項１又は２に記載の紙葉類処理装置。
【請求項５】
前記識別対象物を前記第１センサに対して位置決めするための可動片を有するスキュー補正機構を更に備え、前記可動片が前記搬送路の開閉も行ない、前記可動片による搬送路の開放処理と閉鎖処理との間で前記センサによる識別対象物の読取りが開始され、前記閉鎖処理後に、前記センサで読取った識別対象物を一旦停止させるためのエスクロ位置に識別対象物を停止させ、その識別対象物の真贋判定を前記センサの読取り情報に基づいて行なうことを特徴とする請求項１ないし請求項４のいずれか１項に記載の紙葉類処理装置。
【発明の詳細な説明】
【技術分野】
【０００１】
本発明は、紙幣、カード、クーポン券等（以下、これらを紙葉類と総称する）の真贋判定が行える紙葉類処理装置に関する。
【背景技術】
【０００２】
一般的に、紙葉類処理装置の一態様である紙幣処理装置は、利用者によって紙幣挿入口から挿入された紙幣の有効性を識別し、有効と識別された紙幣価値に応じて、各種の商品やサービスを提供するサービス機器、例えば遊技場に設置されている遊技媒体貸出機、或いは、公共の場に設置されている自動販売機や券売機等に組み込まれている。
【０００３】
また、最近では、例えば、遊技場等において、紙幣と同様な経済的価値を有するクーポン券等を発行し、これを、紙幣を取扱う紙幣処理装置で処理させることが行われている。このようなクーポン券として、特定の紙幣（一般的に米ドル札）と同じ大きさに形成された紙葉（感熱紙）に対して、サーマルプリンタなどで、バーコードを印刷したもの（バーコード付きクーポン券）が知られており、利用者は、紙幣を処理する紙幣処理装置に対して、紙幣と同様、発行されたバーコード付きクーポン券を紙幣挿入口に挿入することで、紙幣と同様なサービスを受けることが可能となっている。
【０００４】
ところで、このような利用態様では、上記した紙幣処理装置は、紙幣の真贋を判定でき、かつ、そのようなバーコード付き紙葉の真贋を判定できる構成でなければならない。このような紙幣処理装置として、例えば、特許文献１には、紙幣挿入口に挿入された紙幣、或いはバーコード付き紙葉を読取るセンサ装置を紙幣搬送経路に設置した構成が開示されている。
【０００５】
このセンサ装置は、搬送路に沿って併設された光学センサを備えており、各光学センサは、発光ダイオードと受光トランジスタがケース内で並行に設置された構造で、それぞれ紙幣の裏面及び表面で反射した光を受光するよう構成されている。
【特許文献１】特許第３３２０８０６号
【発明の開示】
【発明が解決しようとする課題】
【０００６】
上記した紙幣処理装置では、並設されている光学センサの各発光ダイオードを同時に発光すると、受光トランジスタで受光する際に、互いの光の影響を受けてしまい、紙葉を正確に読取ることができない可能性がある。
【０００７】
本発明は、上記した事情に着目してなされたものであり、識別対象物を正確に読取ることが可能な紙葉類処理装置を提供することを目的とする。
【課題を解決するための手段】
【０００８】
上記した目的を達成するために、請求項１に記載された紙葉類処理装置は、識別対象物が搬送される搬送路と、識別対象物の上側から透過光を照射する第１発光部と、前記第１発光部との間で識別対象物を挟むように前記第１発光部と対向する第１受光部と、第１受光部に隣接して配設されて反射光を照射する反射発光部とを有し、識別対象物の透過光および反射光を前記第１受光部で検知することで識別対象物に印刷されたバーコードの情報も読取ることができる第１センサと、前記第１発光部とは異なる照射方向で光を照射する第２発光部と、前記第２発光部と隣接して配設され、前記第２発光部からの光を受光する第２受光部とを有して、前記搬送路の上方側に設置され、第２発光部によって照射されて識別対象物の表面で反射される光を第２受光部で受光することにより、前記第１センサで読取れなかった印刷面が識別対象物の上面側にあるバーコードの情報を読取る第２センサと、を備えたことを特徴とする。
【０００９】
上記した構成の紙葉類処理装置によれば、第１センサ及び第２センサによる検出結果に基づいて搬送路に搬送される識別対象物の真贋を判定することが可能となる。この場合、第１センサの第１発光部と、第２センサの発光部は、その照射方向が異なっているため、第１受光部及び第２受光部で光を受光する際、光の干渉が抑制され、識別対象物を正確に読取ることが可能となる。また、上記構成によれば、搬送される識別対象物のバーコードが第１センサで読めなかったとき、すなわち、バーコードの印刷面が上面側となるように識別対象物が挿入されたときに、その識別対象物のバーコードの読取りを第２センサで行なうことができる。
【００１０】
また、請求項２に係る発明においては、前記識別対象物が搬送される搬送路を備え、前記搬送路は、第１搬送路と、前記第１搬送路に対して所定角度傾斜する第２搬送路とを有し、前記第１搬送路に第１センサを、前記第２搬送路に第２センサを設置したことを特徴とする。
【００１１】
この様な構成によれば、第２搬送路は、第１搬送路に対して屈曲しているため、第２搬送路に第２センサを設置することで、容易に第１センサの第１発光部と、第２センサの第２発光部の照射方向を変えることが可能となる。
【００１２】
また、請求項３に係る発明においては、前記識別対象物を搬送移動する搬送機構と、前記搬送機構を制御する制御手段と、を備えており、前記第２センサは、前記搬送路において、識別対象物の存在を検知する機能を備え、前記制御手段は、前記第２センサの検知結果と、前記搬送機構により識別対象物が移動され、第２センサを通過する時間とに基づいて、前記搬送機構の動作を無効にすることを特徴とする。
【００１３】
このような構成においては、第２センサによって、識別対象物が移動した際、その部分の通過時間を特定することが可能である。この第２センサは識別対象物の存在を検知しており、第２センサにおいて、特定されている通過時間が経過しても識別対象物の存在が検知されれば、搬送機構の動作が無効化される。このため、識別対象物の詰まりを検出したり、識別対象物の引き抜き行為等の不正行為を効果的に防止することができる。
【００１４】
また、請求項４に係る発明においては、前記識別対象物を搬送移動する搬送機構と、前記搬送機構を制御する制御手段と、を備えており、前記制御手段は、前記第２センサによって、前記第１センサで読取った識別対象物を一旦停止させるエスクロ位置に停止した識別対象物の移動が検知された場合、前記搬送機構の動作を無効にすることを特徴とする。
【００１５】
このような構成では、第１センサで識別対象物の読取りが終了した後、識別対象物は下流側に搬送され、エスクロ位置で所定の処理が成されるまで停止される。この状態で、第２センサが識別対象物の移動を検知すると、引き抜き行為などの不正な処理が実行されたものとして、搬送機構の動作の無効処理を実行する。すなわち、識別対象物がエスクロ位置に停止している状態では、不正行為が行われ易いが、このエスクロ位置において、第２センサによって識別対象物の移動を検知したときに搬送機構の動作を無効にすることで、不正行為を確実に防止することが可能となる。
【発明の効果】
【００１６】
本発明によれば、識別対象物を正確に読取ることが可能な紙葉類処理装置が得られる。
【発明を実施するための最良の形態】
【００１７】
以下、図面を参照しながら、本発明の一実施形態について説明する。
【００１８】
図１から図５は、本発明に係る紙葉類処理装置を適用した紙幣処理装置の構成を示す図であり、図１は、全体構成を示す斜視図、図２は、開閉部材を装置本体の本体フレームに対して開いた状態を示す斜視図、図３は、挿入口から挿入される紙幣の搬送経路を概略的に示した右側面図、図４は、紙幣収容部に配設される押圧板を駆動するための動力伝達機構の概略構成を示す右側面図、そして、図５は、紙幣搬送機構を駆動するための駆動源及び駆動力伝達機構の概略構成を示す左側面図である。
【００１９】
本実施形態の紙幣処理装置１は、例えば、スロットマシン等の各種の遊技機に組み込み可能に構成されており、装置本体２と、この装置本体２に設けられ、多数の紙幣などを積層、収容することが可能な収容部（収容スタッカ；金庫）１００とを備えている。この収容部１００は、装置本体２に対して着脱可能であっても良く、例えば、図示されていないロック機構が解除された状態で、前面に設けられた取っ手１０１を引くことで、装置本体２から取り外すことが可能となっている。
【００２０】
上記した紙幣処理装置１は、紙幣の他に、紙幣と等価値を有するバーコードを印刷した紙葉を処理する構成となっている。このようなバーコードを印刷した紙葉は、専用のプリンタによって、紙幣と同サイズの紙に、価値情報（紙幣の金額に相当する情報）や発効日情報、発行場所情報等の各種情報を含んだバーコードを印刷することで作成され、紙幣処理装置１は、後述する紙幣読取手段によって、紙幣の真贋を識別すると共に、そのようなバーコードが印刷された紙葉の真贋を識別するようになっている。すなわち、紙幣処理装置１は、専用のバーコードが印刷された紙葉についても、紙幣と同様に取り扱い処理できるように構成されている。
【００２１】
前記装置本体２は、図２に示すように、本体フレーム２Ａと、本体フレーム２Ａに対して一端部を回動中心として開閉されるように構成された開閉部材２Ｂとを有している。そして、これら本体フレーム２Ａ及び開閉部材２Ｂは、図３に示すように、開閉部材２Ｂを本体フレーム２Ａに対して閉じた際、両者の対向部分に紙幣が搬送される隙間（紙幣搬送路３）が形成されると共に、両者の前面露出側に、前記紙幣搬送路３に一致するようにして、紙幣挿入口５が形成されるよう構成されている。なお、前記紙幣挿入口５は、紙幣の短い辺側から装置本体２の内部に挿入できるようにスリット状の開口となっている。
【００２２】
また、前記装置本体２内には、前記紙幣搬送路３に沿って、紙幣を搬送する紙幣搬送機構６と、紙幣挿入口５に挿入された紙幣を検知する挿入検知センサ７と、挿入検知センサ７の下流側に設置され、搬送状態にある紙幣やバーコードが印刷された紙葉の情報を読取る紙幣読取手段（第１センサ）８と、この紙幣読取手段８に対して、紙幣を正確に位置決めして搬送するスキュー補正機構１０と、紙幣がスキュー補正機構を構成する一対の可動片を通過したことを検知する可動片通過検知センサ１２と、搬送される紙葉のバーコードが前記紙幣読取手段８で読めなかったとき、すなわち印刷面が上面側となるように挿入された紙葉のバーコードの読取りを可能にするバーコードセンサ（第２センサ）８８と、紙幣が紙幣収容部１００に排出されたことを検知する排出検知センサ１８とが設けられている。
【００２３】
以下、上記した各構成部材について、詳細に説明する。  
前記紙幣搬送路３は、紙幣挿入口５から奥側に向けて延出しており、第１搬送路３Ａと、前記第１搬送路３Ａから下流側に向けて延出し、第１搬送路３Ａに対して所定角度、下方側に向けて傾斜した第２搬送路３Ｂとを備えている。この第２搬送路３Ｂの下流側は、鉛直方向に向けて屈曲しており、その下流側端部には、紙幣収容部１００に紙幣を排出する排出口３ａが形成されて、ここから排出される紙幣は、鉛直方向に向けて、紙幣収容部１００の導入口（受入口）１０３に送り込まれる。
【００２４】
前記紙幣搬送機構６は、紙幣挿入口５から挿入された紙幣を挿入方向に沿って搬送可能にすると共に、挿入状態にある紙幣を紙幣挿入口５に向けて差し戻し搬送可能とする機構である。この紙幣搬送機構６は、装置本体２内に設置された駆動源であるモータ１３（図５参照）と、このモータ１３によって回転駆動され、紙幣搬送路３に紙幣搬送方向に沿って所定間隔おいて配設される搬送ローラ対（１４Ａ，１４Ｂ）、（１５Ａ，１５Ｂ）、（１６Ａ，１６Ｂ）、及び（１７Ａ，１７Ｂ）を備えている。
【００２５】
前記搬送ローラ対は、紙幣搬送路３に一部が露出するように設置されて、いずれも紙幣搬送路３の下側に設置される搬送ローラ１４Ｂ，１５Ｂ，１６Ｂ及び１７Ｂがモータ１３によって駆動されるローラとなっており、上側に設置される搬送ローラ１４Ａ，１５Ａ，１６Ａ及び１７Ａが、これらのローラに対して従動するピンチローラとなっている。なお、紙幣挿入口５から挿入された紙幣を最初に挟持して奥側に搬送する搬送ローラ対（１４Ａ，１４Ｂ）は、図２に示すように、紙幣搬送路３の中心位置に１箇所設置されており、その下流側に順次配置される搬送ローラ対（１５Ａ，１５Ｂ）、（１６Ａ，１６Ｂ）、及び（１７Ａ，１７Ｂ）については、紙幣搬送路３の幅方向に沿って、所定間隔をおいて２箇所設置されている。
【００２６】
また、上記した紙幣挿入口５の近傍に配置される搬送ローラ対（１４Ａ，１４Ｂ）については、通常は、上側の搬送ローラ１４Ａが下側の搬送ローラ１４Ｂから離間した状態となっており、紙幣の挿入が挿入検知センサ７によって検知されると、上側の搬送ローラ１４Ａが下側の搬送ローラ１４Ｂに向けて駆動され、挿入された紙幣を挟持するようになっている。
【００２７】
すなわち、上側の搬送ローラ１４Ａについては、駆動源であるローラ昇降用モータ７０（図６参照）によって、下側の搬送ローラ１４Ｂに対して、当接／離間するように駆動制御される。この場合、スキュー補正機構１０によって、挿入された紙幣の傾きを無くし紙幣読取手段８に対して位置合わせする処理（スキュー補正処理）が行われる際には、上側の搬送ローラ１４Ａは、下側の搬送ローラ１４Ｂから離間して紙幣に対する負荷を解除し、スキュー補正処理が終了すると、再び、上側の搬送ローラ１４Ａが下側の搬送ローラ１４Ｂに向けて駆動され、紙幣を挟持する。なお、駆動源については、モータ以外にもソレノイド等によって構成されていても良い。
【００２８】
また、前記スキュー補正機構１０は、スキューの補正を果たす左右一対の可動片１０Ａ（片側のみ図示）を備えており、スキュー補正機構用のモータ４０を駆動することで、左右一対の可動片１０Ａを接近するように移動させ、これにより、紙幣に対するスキューの補正処理が成される。
【００２９】
上記した紙幣搬送路３の下側に設置される搬送ローラ１４Ｂ，１５Ｂ，１６Ｂ及び１７Ｂは、図５に示すように、モータ１３、及び各搬送ローラの駆動軸の端部に設置されるプーリ１４Ｃ，１５Ｃ，１６Ｃ及び１７Ｃを介して回転駆動される。すなわち、モータ１３の出力軸には、駆動プーリ１３Ａが設置されており、上記した各搬送ローラの駆動軸の端部に設置されるプーリ１４Ｃ，１５Ｃ，１６Ｃ及び１７Ｃには、駆動プーリ１３Ａとの間で駆動ベルト１３Ｂが巻回されている。なお、駆動ベルト１３Ｂには、適所にテンションプーリが係合しており、弛みを防止している。
【００３０】
上記した構成により、モータ１３が正転駆動されると、前記搬送ローラ１４Ｂ，１５Ｂ，１６Ｂ及び１７Ｂは同期して正転駆動され、紙幣を挿入方向に向けて搬送し、モータ１３が逆転駆動されると、前記搬送ローラ１４Ｂ，１５Ｂ，１６Ｂ及び１７Ｂは同期して逆転駆動され、紙幣を紙幣挿入口５側に向けて搬送する。
【００３１】
前記挿入検知センサ７は、紙幣挿入口５に挿入された紙幣を検知した際に検知信号を発生するものであり、この検知信号が発せられると、モータ１３が正転駆動され、紙幣を挿入方向に向けて搬送する。本実施形態の挿入検知センサ７は、搬送ローラ対（１４Ａ，１４Ｂ）と、スキュー補正機構１０との間に設置されており、光学式のセンサ、例えば、回帰反射型フォトセンサによって構成されているが、それ以外にも、機械式のセンサによって構成されていても良い。
【００３２】
また、前記可動片通過検知センサ１２は、紙幣の先端が、スキュー補正機構１０を構成する左右一対の可動片１０Ａを通過したことを検知した際に検知信号を発生するものであり、この検知信号が発せられると、モータ１３の駆動が停止され、スキュー補正処理が成される。本実施形態の可動片通過検知センサ１２は、前記紙幣読取手段８の上流側に設置されており、前記挿入検知センサと同様、光学式のセンサや機械式のセンサによって構成される。
【００３３】
また、前記排出検知センサ１８は、通過する紙幣の後端を検知して、紙幣が紙幣収容部１００に排出されたことを検知するものであり、第２搬送路３Ｂの下流側において、紙幣収容部１００の受入口１０３の直前に配設されている。排出検知センサ１８から検知信号が発せられると、モータ１３の駆動が停止され、紙幣の搬送処理が終了する。この排出検知センサ１８についても、前記挿入検知センサと同様、光学式のセンサや機械式のセンサによって構成される。
【００３４】
前記紙幣読取手段（第１センサ）８は、スキュー補正機構１０によってスキューが補正された状態で搬送される紙幣（バーコードが印刷された紙葉）について、その紙幣情報（バーコード情報）を読取り、その有効性（真贋）を識別する。本実施形態では、紙幣読取手段８は、搬送される紙幣（バーコードが印刷された紙葉）の両面側から光を照射し、その透過光と反射光を受光素子で検知することで読取を行うラインセンサを備えた構成になっており、上記した第１搬送路３Ａに設置されている。
【００３５】
本実施形態に係る紙幣の真贋識別処理は、その識別精度を高めるように、搬送される紙幣の表面の印刷領域に、発光手段から所定波長の光を照射し、当該紙幣を透過した光の透過光データ、並びに反射した光の反射光データを取得し、これを予め記憶されている真正紙幣の基準データと比較することで成される。
【００３６】
なお、具体的な紙幣の真贋識別方法については、紙幣に照射する光の波長や照射領域により、様々な受光データ（透過光データ、反射光データ）を取得できるため、詳細に説明しないが、例えば、紙幣の透かし領域では、異なる波長の光でその領域の画像を見た場合、画像が大きく異なって見えることから、この部分を特定領域とし、当該特定領域における透過光データや反射光データを取得して、予め記憶手段（ＲＯＭ）に記憶してある真券の同じ特定領域における正規データと比較して、識別対象となる紙幣が真券であるか偽札であるかを判定することが考えられる。このとき、金種に応じて特定領域を定めておき、この特定領域における透過光データや反射光データに所定の重み付けを設定して、真贋識別精度のさらなる向上を図ることも可能である。
【００３７】
具体的に、前記紙幣読取手段８は、開閉部材２Ｂ側に配設され、搬送される紙幣の上側から光を照射可能とした透過発光部（第１発光部）８ａを具備した発光ユニット８Ａと、本体フレーム２Ａ側に配設された受発光ユニット８Ｂとを有している。
【００３８】
この受発光ユニット８Ｂは、紙幣を挟むようにして第１発光部８ａと対向する受光センサ（本実施形態では、ラインセンサとして構成される）を具備した受光部（第１受光部）８ｂと、受光部８ｂの紙幣搬送方向両側に隣接して配設される反射発光部８ｃとを有している。
【００３９】
前記受光部８ｂと対向配置された透過発光部（第１発光部）８ａは、搬送される紙幣に対して透過用の光源として機能し、図３に示すように、搬送される紙幣に対して略直交となるような照射方向Ｄ１に光を照射する（照射方向Ｄ１）。この透過発光部８ａは、例えば、一端に取り付けたＬＥＤ素子からの光を、導光体を通して発光する合成樹脂製の矩形棒状体によって構成することが可能である。このような構成の透過発光部８ａは、受光部８ｂ（第１受光部；ラインセンサ）と平行にライン状に配設されており、簡単な構成で、搬送される紙幣の搬送路幅方向全体の範囲に対して全体的に均一に照射することが可能となる。
【００４０】
前記受発光ユニット８Ｂの受光部８ｂは、紙幣搬送路３に対して交差方向に伸延し、かつ受光部８ａに設けた図示しない受光センサの感度に影響を与えない程度の幅を有する帯状に形成された薄肉の板状に形成されている。なお、前記受光センサは、受光部８ｂの厚み方向の中央に、複数のＣＣＤ（Charge Coupled Device）をライン状に設けるとともに、このＣＣＤの上方位置に、透過光及び反射光を集光させるように、ライン状にグリンレンズアレイを配置した所謂ラインセンサとして構成されている。このため、真贋判定対象となる紙幣に向けて照射された透過発光部８ａや反射発光部８ｃからの透過光あるいは反射光を受光し、受光データとして、その輝度に応じた濃淡データ（明るさの情報を含んだ画素データ）や、この濃淡データから二次元画像を生成することが可能となっている。
【００４１】
また、受発光ユニット８Ｂの反射発光部８ｃは、透過発光部８ａと同様、一端に取り付けたＬＥＤ素子からの光を、導光体を通して全体的に均一に照射可能とした合成樹脂製の矩形棒状体によって構成することが可能である。この反射発光部８ｃについても、受光部８ｂ（ラインセンサ）と平行にライン状に配設して構成されている。
【００４２】
前記反射発光部８ｃは、所定の仰角で光を紙幣に向けて照射可能としており、最終的に紙幣からの反射光を、受光部８ｂによって、図３のＤ１方向（前記第１発光部８ａの照射方向Ｄ１と同方向）で受光するように配設されている。この場合、反射発光部８ｃからの照射方向については、紙幣の表面に対して濃淡なく均一に光が照射できれば種々変形することが可能であり、反射発光部８ｃ、及び受光部８ｂの配置については、紙幣処理装置の構造に応じて、適宜設計変更が可能である。また、前記反射発光部８ｃについては、受光部８ｂを挟んで両サイドに設置して、両側からそれぞれ同じ入射角度で光を照射するようにしても良い。これは、紙幣表面に傷や折皺などがある場合、これら傷や折皺部分に生じた凹凸に光が片側からのみ照射された場合、どうしても凹凸の部分においては光が遮られて陰になってしまう箇所が生じることがある。このため、両側から光を照射することにより、凹凸の部分において陰ができることを防止して、片側からの照射よりも精度の高い画像データを得ることを可能としている。
【００４３】
なお、上記した発光ユニット８Ａ、受発光ユニット８Ｂの構成や配置などは、本実施形態に限定されるものではなく、適宜変形することが可能である。
【００４４】
また、前記バーコードセンサ（第２センサ）８８は、第１搬送路３Ａに対して屈曲形成されたる第２搬送路３Ｂ、詳細には、搬送ローラ対（１６Ａ，１６Ｂ）と搬送ローラ対（１７Ａ，１７Ｂ）との間に設置されており、光学式の反射型フォトセンサによって構成されている。このバーコードセンサ８８は、図２及び図３に示すように、第２搬送路３Ｂの上方側に設置されており、その発光部（第２発光部）８８ａは、前記第１発光部８ａの照射方向Ｄ１とは異なるＤ２方向に光を照射するように構成されている。そして、第２発光部８８ａによって照射された光は、紙葉類の表面で反射され、発光部と隣接して配設された受光部（第２受光部）８８ｂによって受光される。この場合、前記発光部（第２発光部）８８ａは、その光の照射方向Ｄ２が、前記第１センサ８の第１発光部８ａの光の照射方向Ｄ１と異なる方向に光を照射する配置態様となっていれば良く、紙幣処理装置の構造に応じて、適宜設計変更が可能である。
【００４５】
また、前記バーコードセンサ（第２センサ）８８は、上述したように、搬送される紙葉のバーコードが紙幣読取手段（第１センサ）８で読めなかったとき（印刷面が上面側となるように挿入された紙葉）、そのバーコードの読取りを行う機能を有する。また、このバーコードセンサ８８は、バーコードの読取り以外の機能を備えていても良い。例えば、後述するように、エスクロ位置に待機している紙幣や、バーコードが印刷された紙葉の移動を監視するような機能を持たせても良い。
【００４６】
上記した紙幣などを収容する紙幣収容部１００は、上記した紙幣読取手段８で真性と識別された紙幣（バーコードが印刷された紙葉を含む）を順次、積層、収容する。
【００４７】
図３から図５に示すように、紙幣収容部１００を構成する本体フレーム１００Ａは、略直方体形状に構成されており、その前壁１０２ａの内側には、付勢手段（付勢バネ）１０６の一端が取り付けられ、その他端には、上記した受入口１０３を介して送り込まれる紙幣を順次、積層する載置プレート１０５が設けられている。このため、載置プレート１０５は、前記付勢手段１０６を介して、後述する押圧板１１５側に向けて付勢された状態になっている。
【００４８】
本体フレーム１００Ａ内には、受入口１０３に連続するように、落下する紙幣をそのまま待機、保持させる押圧待機部１０８が設けられている。押圧待機部１０８の載置プレート側の両サイドには、鉛直方向に延出して一対の規制部材１１０が配置されている。この一対の規制部材１１０の間には、載置プレート１０５上に紙幣が順次、積層されるに際して、押圧板１１５が通過するように、開口部が形成されている。
【００４９】
また、本体フレーム１００Ａ内の両サイド壁には、載置プレート１０５が付勢手段１０６によって押圧された際、載置プレートが当て付くように、突出壁が形成されている。この突出壁は、載置プレート１０５上に紙幣が順次、積層されて、前記付勢手段１０６によって載置プレートが付勢された際、最上の紙幣の両サイドを当て付け、積層される紙幣を安定して保持する役目を果たす。
【００５０】
さらに、本体フレーム１００Ａ内には、受入口１０３から押圧待機部１０８に落下した紙幣を載置プレート１０５に向けて押圧する押圧板１１５が配設されている。この押圧板１１５は、前記一対の規制部材１１０の間に形成された開口部を往復移動できる程度の大きさに構成されており、この開口部内に入り込んで、紙幣を載置プレート１０５に押し付ける位置（押圧位置）と、前記押圧待機部１０８を開放する位置（初期位置）との間で往復駆動される。この場合、押圧板１１５の押し込み動作によって、紙幣は撓みながら開口部を通過して、載置プレート１０５上に載置される。
【００５１】
前記押圧板１１５は、本体フレーム１００Ａ内に配設される押圧板駆動機構１２０を介して、上記したように往復駆動される。押圧板駆動機構１２０は、押圧板１１５を図３及び図４の矢印Ａ方向に往復移動可能となるように、両端が押圧板１１５に軸支された一対のリンク部材１１５ａ，１１５ｂを備えており、これらのリンク部材１１５ａ，１１５ｂはＸ字状に連結され、それぞれの反対側の端部は、垂直方向（矢印Ｂ方向）に移動可能に設置された可動部材１２２に軸支されている。この可動部材１２２には、ラックが形成されており、このラックには、押圧板駆動機構１２０を構成するピニオンが噛合している。
【００５２】
このピニオンには、図４に示すように、押圧板駆動機構１２０を構成する収容部側ギヤトレイン１２４が連結されている。この場合、本実施形態においては、図４５に示すように、上述した装置本体２内に、駆動源（モータ２０）と、このモータ２０に順次噛合する本体側ギヤトレイン２１が配設されており、紙幣収容部１００を装置本体２に装着すると、本体側ギヤトレイン２１が収容部側ギヤトレイン１２４に連結するようになっている。すなわち、収容部側ギヤトレイン１２４は、ピニオンと同軸上に配設されるギヤ１２４Ｂ、及びこれに順次噛合するギヤ１２４Ｃ，１２４Ｄを備えており、紙幣収容部１００を装置本体２のフレーム２Ａに対して着脱する際、ギヤ１２４Ｄが、本体側ギヤトレイン２１の最終ギヤ２１Ａと噛合、離間するよう構成されている。
【００５３】
この結果、上記した押圧板１１５は、装置本体２に設けられたモータ２０が回転駆動されることで、本体側ギヤトレイン２１、及び押圧板駆動機構１２０（収容部側ギヤトレイン１２４、可動部材１２２に形成されるラック、及びリンク部材１１５ａ，１１５ｂ等）を介して、矢印Ａ方向に往復駆動される。
【００５４】
また、本体フレーム１００Ａには、前記受入口１０３から搬入される紙幣に対して接触可能な搬送部材１５０が設置されている。この搬送部材１５０は、搬入される紙幣に接触して、安定して紙幣を押圧待機部１０８の適正位置（押圧板１１５で紙幣を押圧した際、紙幣が左右に片寄ることなく、安定して押圧できる位置）に案内する役目を果たす。本実施形態では、この搬送部材は、押圧待機部１０８に臨むように設置されたベルト状の部材（以下、ベルト１５０とする）によって構成されている。
【００５５】
この場合、ベルト１５０は、紙幣に対して搬入方向に沿って延在するように設置されており、搬入方向の両端部に回転可能に支持された一対のプーリ１５０Ａ，１５０Ｂに巻回されている。また、ベルト１５０は、受入口１０３の領域に回転可能に支持された軸方向に延出する搬送ローラ１５０Ｃと当接しており、受入口１０３に搬入された紙幣を挟持して、紙幣をそのまま押圧待機部１０８に案内するようにしている。さらに、本実施形態では、前記ベルト１５０は、紙幣の両サイドの表面に接触可能となるように、上記した押圧板１１５を挟むようにして左右一対設けられている。なお、ベルト１５０は、両端におけるプーリ１５０Ａ，１５０Ｂの巻回以外に、中間位置でテンションプーリを当て付け、弛みを防止するようにしても良い。
【００５６】
前記一対のベルト１５０は、装置本体２内に設置される上述した複数の搬送ローラを駆動するモータ１３によって駆動されるようになっている。具体的には、図５に示すように、モータ１３によって駆動される上述した駆動ベルト１３Ｂは、駆動力伝達用のプーリ１３Ｄに巻回されており、このプーリ１３Ｄに順次設置される動力伝達用のギヤトレイン１３Ｅには、受入口１０３側に回転可能に支持されているプーリ１５０Ａの支軸の端部に設置されたギヤトレイン１５３が噛合するようになっている。すなわち、紙幣収容部１００が装置本体２に装着された際、ギヤトレイン１３Ｅの最終ギヤには、ギヤトレイン１５３の入力ギヤが噛合するようになっており、一対のベルト１５０は、モータ１３の回転駆動により、上述した紙幣搬送用の搬送ローラ１４Ｂ，１５Ｂ，１６Ｂ，１７Ｂと一体的に回転駆動されるようになっている。
【００５７】
上述したように、紙幣が紙幣挿入口５を介して内部に挿入されると、紙幣は、上記した紙幣搬送機構６によって、紙幣搬送路３内で移動して行く。紙幣搬送路３は、図３に示すように、紙幣挿入口５から奥側に向けて延出した第１搬送路３Ａと、前記第１搬送路３Ａから下流側に向けて延出し、第１搬送路３Ａに対して所定角度傾斜した第２搬送路３Ｂとを備えており、この第２搬送路３Ｂには、不正行為等により、紙幣挿入口５側に向けて紙幣の搬送を阻止するシャッタ部材１７０が設置されている。
【００５８】
次に、上述した紙幣搬送機構６、紙幣読取手段（第１センサ）８、バーコードセンサ（第２センサ）８８等の駆動部材の駆動を制御する制御手段２００について、図６のブロック図を参照して説明する。
【００５９】
図６のブロック図に示す制御手段２００は、上記した各駆動装置の動作を制御する制御基板２００Ａを備えており、この制御基板２００Ａ上には、各駆動装置の駆動を制御すると共に、紙幣識別手段を構成するＣＰＵ（Central Processing Unit）２１０と、ＲＯＭ(Read Only Memory)２１２と、ＲＡＭ（Random
Access Memory）２１４と、基準データ記憶部２１６とが実装されている。
【００６０】
前記ＲＯＭ２１２には、紙幣搬送機構用のモータ１３、押圧板駆動用のモータ２０、スキュー補正機構用のモータ４０、ローラ昇降用のモータ７１等、各種駆動装置の作動プログラムや、真贋判定部２１６における真贋判定プログラム等の各種プログラム等、恒久的なデータが記憶されている。
【００６１】
前記ＣＰＵ２１０は、ＲＯＭ２１２に記憶されている前記プログラムに従って作動して、Ｉ／Ｏポート２２０を介して上述した各種駆動装置との信号の入出力を行い、紙幣処理装置の全体的な動作制御を行う。すなわち、ＣＰＵ２１０には、Ｉ／Ｏポート２２０を介して、紙幣搬送機構用のモータ１３、押圧板駆動用のモータ２０、スキュー補正機構用のモータ４０、ローラ昇降用のモータ７０、及び上述した紙幣読取手段８における透過発光部８ａと反射発光部８ｃが接続されている。これらの駆動装置は、ＲＯＭ２１２に格納された作動プログラムに従って、ＣＰＵ２１０からの制御信号により動作が制御される。
【００６２】
また、ＣＰＵ２１０には、Ｉ／Ｏポート２２０を介して、挿入検知センサ７や可動片通過検知センサ１２、排出検知センサ１８、及びバーコードセンサ（第２センサ）８８からの検知信号が入力されるようになっており、これら検知信号に基づいて、上記した各種駆動装置の駆動制御が行われる。
【００６３】
さらに、ＣＰＵ２１０には、Ｉ／Ｏポート２２０を介して、上述した紙幣読取手段（第１センサ）８における第１受光部８ｂから紙幣やバーコードが印刷された紙幣（識別対象物）に照射された光の透過光や反射光に基づく検知信号が入力されるようになっており、基準データ記憶部２１６に記憶されている基準データとの間で比較され、紙幣、バーコードを印刷した紙葉の真贋判定処理が実行される。なお、ＣＰＵ２１０には、Ｉ／Ｏポート２２０を介して、バーコードセンサ（第２センサ）８８の第２受光部８８ｂからも、バーコードが上向きになって搬送された紙葉のバーコードに関する検知信号が入力されるようになっており、基準データ記憶部２１６に記憶されている基準データとの間で比較され、バーコードを印刷した紙葉の真贋判定処理が実行される。
【００６４】
前記ＲＡＭ２１４には、ＣＰＵ２１０が作動する際に用いるデータやプログラムが記憶されており、基準データ記憶部２１６には、紙幣やバーコードを印刷した紙葉の真贋判定を行うときに用いられる基準データが記憶されている。なお、基準データについては、専用の基準データ記憶部２１６に記憶させているが、これをＲＯＭ２１２に記憶させておいても良い。
【００６５】
次に、上述した制御手段２００によって実行される紙幣処理装置１における紙幣の処理動作について、図７〜図１３のフローチャートに従って説明する。
【００６６】
操作者が紙幣、或いはバーコードを印刷した紙葉（以下、これらを紙葉類と称する）を紙幣挿入口５に挿入する際、紙幣挿入口の近傍に設置される搬送ローラ対（１４Ａ，１４Ｂ）は、初期状態において離間した状態にある（後述するＳＴ１７，ＳＴ５６参照）。また、押圧板１１５は、押圧板１１５を駆動する一対のリンク部材１１５ａ，１１５ｂが押圧待機部１０８に位置しており、紙葉類が一対のリンク部材１１５ａ，１１５ｂによって受入口１０３から押圧待機部１０８に搬入できない待機位置に設定されている。すなわち、この状態では、一対の規制部材１１０の間に形成された開口部に押圧板１１５が入り込んでいるため、開口部を介して紙幣収容部内に収容されている紙葉類を抜き取ることができない状態となっている。
【００６７】
さらに、搬送ローラ対（１４Ａ，１４Ｂ）の下流側に位置するスキュー補正機構１０を構成する一対の可動片１０Ａは、初期状態において、あらゆる紙葉類の引き抜きができないように最小幅（例えば一対の可動片１０Ａの間隔が５２ｍｍ；後述するＳＴ１６，ＳＴ５７参照）に移動した状態にある。
【００６８】
上記した搬送ローラ対（１４Ａ，１４Ｂ）の初期状態では、皺のある紙葉類であっても、操作者は容易に挿入することができる。そして、挿入検知センサ７によって紙葉類の挿入が検知されると（ＳＴ０１）、上述した押圧板１１５の駆動用のモータ２０を所定量逆転駆動し（ＳＴ０２）、押圧板１１５を初期位置に移動させる。すなわち、挿入検知センサ７によって紙葉類の挿入が検知されるまでは、前記押圧板１１５は、一対の規制部材１１０の間に形成された開口部に移動された状態となっており、開口部を介して紙葉類が通過できないように設定されている。
【００６９】
押圧板１１５が待機位置から初期位置に移動されると、押圧待機部１０８は開放状態となり（図４参照）、紙葉類は、紙幣収容部１００内に搬入可能な状態となる。すなわち、モータ２０を所定量逆転駆動することで、押圧板１１５は、本体側ギヤトレイン２１、及び押圧板駆動機構１２０（収容部側ギヤトレイン１２４、可動部材１２２に形成されるラック、及びリンク部材１１５ａ，１１５ｂ）を介して、前記待機位置から初期位置に移動される。
【００７０】
また、上述したローラ昇降用モータ７０を駆動し、上側の搬送ローラ１４Ａを下側の搬送ローラ１４Ｂに当接するように移動させる。これにより、挿入された紙葉類は搬送ローラ対（１４Ａ，１４Ｂ）によって挟持される（ＳＴ０３）。
【００７１】
次いで、紙幣搬送路の開放処理が成される（ＳＴ０４）。この開放処理は、図１０に示すフローチャートに示すように、述したスキュー補正機構用のモータ４０を逆転駆動することで、一対の可動片１０Ａを互いに離間する方向に駆動することで成される（ＳＴ１００）。このとき、一対の可動片１０Ａの位置を検知する可動片検知センサによって、一対の可動片１０Ａが所定位置（最大幅位置）に移動したことが検知されると（ＳＴ１０１）、モータ４０の逆転駆動が停止される（ＳＴ１０２）。この搬送路開放処理により、一対の可動片１０Ａ内に紙葉類が進入できる状態になっている。なお、このＳＴ０４の前段階では、紙幣搬送路３は、後述する搬送路閉鎖処理（ＳＴ１６，ＳＴ５７）によって閉鎖された状態にあるが、このように、紙葉類挿入前に紙幣搬送路３を閉じておくことで、例えば、不正目的などで紙幣挿入口から板状の部材を挿入して、ラインセンサなどの素子を破損させることを防止することができる。
【００７２】
次いで、紙幣搬送用のモータ１３が正転駆動される（ＳＴ０５）。紙葉類は、搬送ローラ対（１４Ａ，１４Ｂ）によって装置内部に搬送され、スキュー補正機構１０よりも下流側に配設されている可動片通過検知センサ１２が紙葉類の先端を検知すると、紙幣搬送用のモータ１３は停止される（ＳＴ０６，ＳＴ０７）。このとき、紙葉類は、スキュー補正機構１０を構成する一対の可動片１０Ａ間に位置している。
【００７３】
引き続き、上述したローラ昇降用モータ７０を駆動し、紙葉類を挟持した状態となっている搬送ローラ対（１４Ａ，１４Ｂ）を離間させる（ＳＴ０８）。このとき、紙葉類には、何等、負荷が作用していない状態となる。
【００７４】
そして、この状態でスキュー補正作動処理を行う（ＳＴ０９）。このスキュー補正作動処理は、上述したスキュー補正機構用のモータ４０を正転駆動することで、一対の可動片１０Ａを互いに接近する方向に駆動することで成される。すなわち、このスキュー補正作動処理は、図１１のフローチャートに示すように、上述したモータ４０を正転駆動することで、一対の可動片１０Ａを、互いに接近する方向に移動する（ＳＴ１１０）。この可動片の移動は、制御手段における基準データ記憶部に登録されている紙幣の最小幅（例；幅６２ｍｍ）となるまで実行され、これにより、紙幣は、両側に当て付く可動片１０Ａによって、スキューが補正され、正確な中心位置となるように位置決めされる。
【００７５】
上述したようなスキュー補正作動処理が終了すると、引き続き、搬送路開放処理が実行される（ＳＴ１０）。これは、上述したスキュー補正機構用のモータ４０を逆転駆動することで、一対の可動片１０Ａを離間する方向に移動することで成される（図１０のＳＴ１００〜ＳＴ１０２参照）。
【００７６】
続いて、上述したローラ昇降用モータ７０を駆動し、上側の搬送ローラ１４Ａを下側の搬送ローラ１４Ｂに当接するように移動させ、紙葉類を搬送ローラ対（１４Ａ，１４Ｂ）に挟持させる（ＳＴ１１）。その後、紙幣搬送用のモータ１３を正転駆動して紙葉類を装置内部に向けて搬送し、紙葉類が紙幣読取手段８を通過する際に、紙葉類の読取処理を開始する（ＳＴ１２，ＳＴ１３）。また、これに伴ってバーコードセンサ８８が紙葉類の読取りを開始する（ＳＴ１４）。
【００７７】
そして、搬送される紙葉類が紙幣読取手段８を通過して、紙葉類の後端が、可動片通過検知センサ１２によって検知されると（ＳＴ１５）、紙幣搬送路３の閉鎖処理が実行される（ＳＴ１７）。この処理においては、まず、図１２のフローチャートに示すように、紙葉類の後端が、可動片通過検知センサ１２によって検知された後、上述したモータ４０を正転駆動することで、一対の可動片１０Ａを、互いに接近する方向に移動する（ＳＴ１３０）。次に、可動片検知センサによって、可動片１０Ａが所定位置（最小幅位置、例えば５２ｍｍ）に移動したことが検知されると（ＳＴ１３１）、モータ４０の正転駆動が停止される（ＳＴ１３２）。
【００７８】
この搬送路閉鎖処理により、一対の可動片１０Ａは、挿入可能なあらゆる紙葉類の幅よりも狭い最小幅位置（幅５２ｍｍ）に移動されており、これにより、紙葉類の引き抜きを効果的に防止するようにしている。すなわち、このような紙幣搬送路の閉鎖処理を実行することで、挿入された紙葉類の幅よりも、可動片１０Ａ間の距離が狭くなり、操作者が不正目的で紙葉類を挿入口方向に向けて引き抜く等の行為を効果的に防止することが可能となる。
【００７９】
なお、この状態で、上述した可動片検知センサが、可動片１０Ａの移動を検知した際、操作者が何らかの不正行為を行っているとみなし、所定の処理を実行するようにしても良い。例えば、紙幣処理装置の動作を管理する上位装置に対して不正操作信号（異常検知信号）を送信したり、紙幣処理装置に報知ランプを設けておき、これを点滅させたり、その後に操作者によって入力される入力受付（ＳＴ２３）の処理を有効化することなく、強制的に排出動作を行う等の処理を実行しても良い。或いは、紙幣処理装置の動作を無効（例えば、処理の停止処理、紙幣の排出処理など）にする等、適正な処理を行うようにしても良い。
【００８０】
また、上記した搬送路閉鎖処理（ＳＴ１６）に引き続いて、上述したローラ昇降用モータ７０を駆動し、紙葉類を挟持可能な状態となっている搬送ローラ対（１４Ａ，１４Ｂ）を離間させる搬送ローラ対離間処理が行われる（ＳＴ１７）。この搬送ローラ対離間処理を行うことで、操作者が誤って紙葉類を追加投入（二重投入）しても、紙葉類は、搬送ローラ対（１４Ａ，１４Ｂ）による送り動作を受けることはなく、また、ＳＴ１６において接近した状態にある一対の可動片１０Ａの前端に突き当たることから、紙葉類の二重投入動作を確実に防止することができる。
【００８１】
上記した紙幣搬送路の閉鎖処理と共に、紙幣読取手段８が紙葉類の後端までデータを読取ると、紙幣搬送用のモータ１３を予め特定された所定量だけ駆動し、紙葉類を所定位置（エスクロ位置；紙幣読取手段８の中心位置から１３ｍｍ紙葉類が下流側に搬送された位置とされる）で停止させ、このときに、上述した制御手段２００において、基準データ記憶部２１６に記憶されている正規のデータを参照し、紙葉類の真贋判定処理を実行する（ＳＴ１８〜ＳＴ２１）。
【００８２】
なお、このエスクロ位置は、バーコードセンサ８８が、バーコードが上向きになって挿入された紙葉のバーコードの読取りが終了し、かつその紙葉を検知できる位置とされている。
【００８３】
そして、記したＳＴ２１の真贋判定処理において、紙葉類が真券であると判定されると（ＳＴ２２；Ｙｅｓ）、操作者の入力を受付ける（ＳＴ２３）。これは、操作者が、サービスの提供（例えば、ゲーム装置であればゲーム開始に伴う受付処理）を受入れるべく、受入ボタンを押下する受入操作、及び、挿入した紙葉類の返却処理を行うべく、返却ボタンを押下する処理が該当する。
【００８４】
また、このＳＴ２２、ＳＴ２３の処理が実行される間、図１３に示すような割り込み処理が実行される。この割り込み処理は、バーコードセンサ８８が識別対象物の移動を検知すると（ＳＴ１５０；Ｙｅｓ）、それは、本来、エスクロ位置に停止しているはずの紙葉類が移動したということであり、引き抜き行為など、何らかの不正な行為が成されているとみなし、装置の動作を無効化する処理（例えば、搬送機構の停止、紙葉類の排出、上位装置との取引処理の停止等）を実行する（ＳＴ１５１）。
【００８５】
上記のように、紙葉類がエスクロ位置に停止している状態では、不正行為が行われ易いが、このエスクロ位置において、バーコードセンサ８８によって紙葉類の移動を検知したときに、搬送機構６の動作を無効にすることにより、不正行為を確実に防止することが可能となる。
【００８６】
そして、各種サービスの提供を受入れる操作が入力されると（ＳＴ２４；Ｙｅｓ）、引き続き、この状態で紙幣搬送用のモータ１３を正転駆動し、紙葉類を、紙幣収容部１００に向けて搬送する（ＳＴ２５）。
【００８７】
このＳＴ２５の処理に際しては、バーコードセンサ８８が識別対象物の存在を検知しており（ＳＴ２６）、紙葉類の搬送処理の段階（紙葉類が移動する時間内）において、紙葉類の存在が確認されなければ、それは紙葉類の引き抜き等が行われたと判断し、装置の動作の無効化処理（ＳＴ２６；Ｎｏ、ＳＴ４０）を実行する。この無効化処理は、例えば、搬送機構６の動作を停止して紙葉類の搬送ができない状態にしたり、紙葉類の排出動作や、上位装置との取引処理の停止などが該当する。また、ＳＴ２５の処理に際しては、バーコードセンサ８８から紙葉類の移動する時間が特定されているため、その時間を検知しており（ＳＴ２７）、その時間が経過した段階で（ＳＴ２７；Ｙｅｓ）、バーコードセンサ８８が識別対象物の存在を検知すれば、それは紙葉類が詰まったものと判断し、上記したような装置の動作の無効化処理を実行する（ＳＴ２８；Ｙｅｓ、ＳＴ４０）。
【００８８】
このように、本実施形態では、バーコードセンサ８８が、紙葉類の存在を検知する機能を備えており、上記した制御手段２００によって、バーコードセンサ８８の検知結果と、搬送機構６により紙葉類が移動してバーコードセンサ８８を通過する時間とに基づいて、搬送機構６の動作を無効にするよう構成されている。
【００８９】
すなわち、バーコードセンサ８８によって、紙葉類が移動した際、その部分の通過時間を特定することができることに着目し、このバーコードセンサ８８において、特定されている通過時間が経過しても紙葉類の存在が検知されていたり、その通過時間内において紙葉類が検知できなければ、搬送機構６の動作が無効化される。従って、紙葉類の詰まりを検出したり、紙葉類の引き抜き行為等の不正行為を効果的に防止することができる。
【００９０】
そして、上記のＳＴ２５の処理における紙葉類の搬送に際しては、紙葉類の後端が排出検知センサ１８によって検知されるまでは紙幣搬送用のモータ１３は正転駆動され（ＳＴ２９）、紙葉類の後端が排出検知センサ１８によって検知されてから、紙幣搬送用のモータ１３は所定量だけ正転駆動される（ＳＴ３０，ＳＴ３１）。
【００９１】
このＳＴ３０、及びＳＴ３１における紙幣搬送用のモータ１３の正転駆動処理は、紙葉類が、装置本体２の紙幣搬送路３の下流側にある排出口３ａから紙幣収容部１００の受入口１０３に搬入され、前記一対のベルト１５０が、搬入される紙幣の両側表面に接触し、安定して押圧待機部１０８に案内される駆動量に対応している。すなわち、紙葉類の後端が排出検知センサ１８によって検知された後、更に、所定量、紙幣搬送用のモータ１３を正転駆動することで、前記一対のベルト１５０は、搬入される紙葉類に接触しつつ送り方向に駆動され、紙葉類を安定した状態で押圧待機部１０８に案内する。
【００９２】
そして、上記した紙幣搬送用のモータ１３が停止した後、紙葉類を載置プレート１０５上に載置すべく押圧板１１５の駆動処理を実行し（ＳＴ３２）、押圧処理が終了すると、押圧板１１５は再び待機位置に移動され、その位置で停止される。
【００９３】
また、上述した処理手順のＳＴ２２の真贋判定処理において、挿入された紙葉類が真券でないと識別された場合、或いは、操作者によって返却ボタンが押下された場合（ＳＴ２４；Ｎｏ）、搬送路開放処理を実行し（ＳＴ５１、図１０のＳＴ１００〜ＳＴ１０２参照）、その後、紙幣搬送用のモータ１３を逆転駆動し、搬送ローラ対（１４Ａ，１４Ｂ）の挟持処理を実行した後、エスクロ位置に待機している紙葉類を、紙幣挿入口５に向けて搬送する（ＳＴ５２，５３）。そして、挿入検知センサ７が、紙幣挿入口５に向けて差し戻される紙葉類の後端を検知した際に、紙幣搬送用のモータ１３の逆転駆動を停止すると共に、上述したローラ昇降用モータ７０を駆動し、紙葉類を挟持した状態となっている搬送ローラ対（１４Ａ，１４Ｂ）を離間させる（ＳＴ５４〜ＳＴ５６）。その後、搬送路閉鎖処理を実施（ＳＴ５７，図１２のＳＴ１３０〜ＳＴ１３２参照）すると共に、押圧板１１５の駆動用のモータ２０を所定量正転駆動することで（ＳＴ５８）、初期位置にある押圧板１１５を待機位置に駆動し、一連の処理が終了する。
【００９４】
上記した構成の紙幣処理装置１によれば、第１センサ８及び第２センサ８８による検出結果に基づいて搬送路に搬送される識別対象物の真贋を判定することが可能となる。この場合、第１センサ８の発光部（第１発光部８ａ）と、第２センサ８８の発光部（第２発光部８８ａ）は、図３の矢印Ｄ１、Ｄ２に示すように、照射方向が異なっているため、各センサ８，８８における受光部８ｂ、８８ｂで光を受光する際、相互に光の干渉が抑制され、識別対象物を正確に読取ることが可能となる。
【００９５】
特に、本実施形態では、第１センサ８を第１搬送路３Ａに、第２センサ８８を第１搬送路３Ａに対して所定角度傾斜する第２搬送路３Ｂに設置したため、容易に第１センサの第１発光部８ａと、第２センサ８８の第２発光部８８ａの照射方向を変えることが可能となる。また、屈曲部分によって一方のセンサの発光部による光が、他方のセンサの受光部に届き難くなることから、光の干渉をより効果的に抑制することができ、識別対象物を正確に読取ることが可能となる。
【００９６】
以上、本発明の実施形態について説明したが、本発明は、上記した実施形態に限定されることなく、種々変形して実施することが可能である。本発明は、第１センサ８における発光部の照射方向Ｄ１と、第２センサにおける発光部の照射方向Ｄ２が異なるような配置態様になっていれば良く、具体的な真贋の識別方法や、用いられる光源の種類、設置状態については適宜変形することが可能である。また、紙幣処理装置内に設置される各種の駆動部材を駆動する駆動源、或いは、その駆動源からの動力伝達機構については、適宜変形することが可能である。
【産業上の利用可能性】
【００９７】
本発明は、例えば、紙幣が挿入されたことで、商品やサービスを提供する各種の装置に組み込むことが可能である。
【図面の簡単な説明】
【００９８】
【図１】紙幣処理装置の構成を示す図であり、全体構成を示す斜視図。
【図２】開閉部材を装置本体の本体フレームに対して開いた状態を示す斜視図。
【図３】挿入口から挿入される紙幣の搬送経路を概略的に示した右側面図。
【図４】紙幣収容部に配設される押圧板を駆動するための動力伝達機構の概略構成を示す右側面図。
【図５】紙幣搬送機構を駆動するための駆動源及び駆動力伝達機構の概略構成を示す左側面図。
【図６】紙幣搬送機構、紙幣読取手段等の駆動部材の駆動を制御する制御手段の構成を示すブロック図。
【図７】本実施形態の紙幣処理装置における紙幣の処理動作を説明するフローチャート（その１）。
【図８】本実施形態の紙幣処理装置における紙幣の処理動作を説明するフローチャート（その２）。
【図９】本実施形態の紙幣処理装置における紙幣の処理動作を説明するフローチャート（その３）。
【図１０】搬送路開放処理手順を説明するフローチャート。
【図１１】スキュー補正作動処理手順を説明するフローチャート。
【図１２】搬送路閉鎖処理手順を示すフローチャート。
【図１３】バーコードセンサの検知信号に基づく割り込み処理を説明するフローチャート。
【符号の説明】
【００９９】
１  紙幣処理装置
２  装置本体
３  紙幣搬送路
３Ａ  第１搬送路
３Ｂ  第２搬送路
５  紙幣挿入口
６  紙幣搬送機構
８  紙幣読取手段（第１センサ）
８ａ  第１発光部
８ｂ  第１受光部
８８  バーコードセンサ（第２センサ）
８８ａ  第２発光部
８８ｂ  第２受光部
１０  スキュー補正機構
１００  紙幣収容部
２００  制御手段
【図１】
0005269424.tif 000002
【図２】
0005269424.tif 000003
【図３】
0005269424.tif 000004
【図４】
0005269424.tif 000005
【図５】
0005269424.tif 000006
【図６】
0005269424.tif 000007
【図７】
0005269424.tif 000008
【図８】
0005269424.tif 000009
【図９】
0005269424.tif 000010
【図１０】
0005269424.tif 000011
【図１１】
0005269424.tif 000012
【図１２】
0005269424.tif 000013
【図１３】
0005269424.tif 000014